【事件の表示】
　特願２０１７−５１５２３１「ユーザの認証方法及び対応端末と認証システム」拒絶査定不服審判事件〔平成２８年　３月２４日国際公開，ＷＯ２０１６／０４１８９１，平成２９年１１月２４日国内公表，特表２０１７−５３４９６１〕について，次のとおり審決する。
【結　論】
　本件審判の請求は，成り立たない。
【理　由】
第１．手続の経緯
　本願は，２０１５年９月１４日（パリ条約による優先権主張外国庁受理２０１４年９月１７日，欧州特許庁）を国際出願日とする出願であって，
　平成２９年４月４日付けで特許法１８４条の４第１項の規定による明細書，請求の範囲，及び，図面（図面の中の説明に限る）の日本語による翻訳文が提出されると共に審査請求がなされ，平成３０年３月２７日付けで審査官により拒絶理由が通知され，これに対して平成３０年５月２８日付けで意見書が提出されると共に手続補正がなされたが，平成３０年９月２５日付けで審査官により拒絶査定がなされ（謄本送達；平成３０年１０月２日），これに対して平成３１年１月３０日付けで審判請求がなされると共に手続補正がなされ，平成３１年４月１９日付けで審査官により特許法１６４条３項の規定に基づく報告がなされたものである。
第２．平成３１年１月３０日付けの手続補正の却下の決定
　［補正却下の決定の結論］
　平成３１年１月３０日付け手続補正を却下をする。
　［理由］
１．補正の内容
　平成３１年１月３０日付け手続補正（以下，「本件手続補正」という。）により，平成３０年５月２８日付けの手続補正により補正された特許請求の範囲，
「　【請求項１】
　ユーザ（３０）を第１端末（３２）又は前記第１端末（３２）に接続された遠隔サーバ（５０）によって認証する方法であって，前記認証は，前記第１端末（３２）に複数の記号から構成される一連のコードを順次入力するステップと，入力された前記コードと前記ユーザ（３０）の秘密個人コードとを比較するステップとを含み，
　前記コードは前記第１端末（３２）に入力され，
　前記秘密個人コードは，予め前記第１端末又は前記遠隔サーバ（５０）に格納されており，前記方法は：
　ａ）前記第１端末（３２）から前記ユーザ（３０）に属する第２端末（３３）に，そのサブセット（１，７，５，９）が前記コードを構成するような，順不同の一連の記号（１，２，・・・９，＊，＃）を送信するステップと；
　ｂ）前記第２端末（３３）のスクリーン上の第２格子（３７）に前記サブセット（１，７，５，９）を含む前記順不同の一連の記号（１，２，・・・９，＊，＃）を配置して表示するステップと；
　ｃ）前記第１端末（３２）の第１格子（３９）の所定位置であって，
　前記第２格子（３７）上で前記サブセット（１，７，５，９）が配置されて表示されている位置の対応位置（４０，３９，４２，４３）に表示されている一連の記号を前記コードとして入力するステップと；
　ｄ）前記第１端末（３２）又は前記遠隔サーバ（５０）において，前記ユーザ（３０）を認証するために，前記第１格子（３９）の前記対応位置（４０，３９，４２，４３）から入力された一連の記号が前記秘密個人コードと同一であることをチェックするステップと；を備えた方法。
　　【請求項２】
　前記ステップａ）が，前記第１端末（３２）と協働するスクリーン上に，そのサブセット（１，７，５，９）が前記コードを構成するような，順不同の一連の記号（１，２，・・・９，＊，＃）から構成された暗号化イメージ（３４）を表示するステップを備え，
　前記ステップｂ）が，前記第２端末（３３）に備えられたカメラと解読キー（３６）により前記第２端末（３３）において前記暗号化イメージ（３４）を解読するステップを備えることを特徴とする請求項１に記載の方法。
　　【請求項３】
　前記ステップａ）が，短距離無線接続又は局所ネットワーク接続により，前記順不同の一連の記号（１，２，・・・９，＊，＃）を前記第１端末（３２）から前記第２端末（３３）へ送信するステップを備えることを特徴とする請求項１に記載の方法。
　　【請求項４】
　前記暗号化イメージ（３４）がＱＲコード（登録商標）であることを特徴とする請求項２に記載の方法。
　　【請求項５】
　前記第２端末（３３）がスマートホンであることを特徴とする請求項１乃至４のいずれかに記載の方法。
　　【請求項６】
　前記第２端末（３３）が，一対のスマート眼鏡であることを特徴とする請求項１乃至４のいずれかに記載の方法。
　　【請求項７】
　前記第１端末（３２）が，紙幣払出し機であることを特徴とする請求項１乃至６のいずれかに記載の方法。
　　【請求項８】
　前記第１端末（３２）が，小売販売端末であることを特徴とする請求項１乃至６のいずれかに記載の方法。
　　【請求項９】
　第１端末（３２）と称される端末であって，
　ａ）ユーザ（３０）に属する第２端末（３３）に，そのサブセット（１，７，５，９）が秘密個人コードと比較するために前記第１端末（３２）に入力されるコードを構成するような順不同の一連の記号（１，２，・・・９，＊，＃）を送信する手段と；
　ｂ）前記第１端末（３２）の第１格子（３９）の所定位置であって，前記第２端末（３３）の第２格子（３７）上で前記サブセット（１，７，５，９）が配置されて表示されている位置の対応位置（４０，３９，４２，４３）に表示されている一連の記号を前記コードとして入力する手段を備えた端末。
　　【請求項１０】
　前記ユーザ（３０）を認証するために，前記第１格子（３９）から入力された前記一連の記号が前記秘密個人コードと同一であることをチェックする手段を，さらに備えたことを特徴とする請求項９に記載の端末。
　　【請求項１１】
　前記第１格子（３９）に入力された前記一連の記号を遠隔サーバ（５０）に送信する手段を，さらに備えたことを特徴とする請求項９に記載の端末。
　　【請求項１２】
　第２端末（３３）と称されるユーザ端末であって，
　ａ）第１端末（３２）から，そのサブセット（１，７，５，９）がユーザ（３０）の秘密個人コードと比較されるコードを構成するような，順不同の一連の記号（１，２，・・・９，＊，＃）を受信する手段と；
　ｂ）前記第２端末（３３）のスクリーン上の第２格子（３７）に前記サブセット（１，７，５，９）を含む前記順不同の一連の記号（１，２，・・・９，＊，＃）を配置して表示する手段と；
を備えたユーザ端末。
　　【請求項１３】
　前記第２端末（３３）に備えられたカメラと解読キー（３６）により，前記第１端末（３２）のスクリーン上に表示された暗号化イメージ（３４）を解読する手段をさらに備え，
　前記解読されたイメージ（３４）は，そのサブセット（１，７，５，９）が前記ユーザ（３０）の前記コードを構成する，前記順不同の一連の記号（１，２，・・・９，＊，＃）から構成されることを特徴とする請求項１２に記載のユーザ端末。
　　【請求項１４】
　前記ユーザ端末（３３）が一対のスマート眼鏡であることを特徴とする請求項１２又は１３に記載のユーザ端末。
　　【請求項１５】
　ユーザ（３０）を第１端末（３２）又は前記第１端末（３２）に接続された遠隔サーバ（５０）によって認証するシステムであって，前記認証は，前記第１端末（３２）に複数の記号から構成される一連のコードを順次入力する手段と，入力された前記コードと前記ユーザ（３０）の秘密個人コードとを比較する手段とを含み，
　前記コードは前記第１端末（３２）に入力され，
　前記秘密個人コードは，予め前記第１端末又は前記遠隔サーバ（５０）に格納されており，前記システムは：
　ａ）前記第１端末（３２）から前記ユーザ（３０）に属する第２端末（３３）に，そのサブセット（１，７，５，９）が前記コードを構成するような，順不同の一連の記号（１．２，・・・９，＊，＃）を送信する手段と；
　ｂ）前記第２端末（３３）のスクリーン上の第２格子（３７）に前記サブセット（１，７，５，９）を含む前記順不同の一連の記号（１，２，・・・９，＊，＃）を配置して表示する手段と；
　ｃ）前記第１端末（３２）の第１格子（３９）の所定位置であって，
　前記第２格子（３７）上で前記サブセット（１，７，５，９）が配置されて表示されている位置の対応位置（４０，３９，４２，４３）に表示されている一連の記号を前記コードとして入力する手段と；
　ｄ）前記第１端末（３２）又は前記遠隔サーバ（５０）において，前記ユーザ（３０）を認証するために，前記第１格子（３９）の前記対応位置（４０，３９，４２，４３）から入力された一連の記号が前記秘密個人コードと同一であることをチェックする手段と；
を備えたシステム。
　　【請求項１６】
　前記システムは，さらに，
　ａ）前記第１端末（３２）と協働するスクリーン上に，そのサブセット（１，７，５，９）が前記コードを構成するような，順不同の一連の記号（１，２，・・・９，＊，＃）から構成された暗号化イメージ（３４）を表示する手段と，
　ｂ）前記第２端末（３３）に備えられたカメラと解読キー（３６）により前記第２端末（３３）において前記暗号化イメージ（３４）を解読する手段とを備えることを特徴とする請求項１５に記載のシステム。」（以下，上記引用の請求項各項を，「補正前の請求項」という。）は，
「　【請求項１】
　ユーザ（３０）を第１端末（３２）又は前記第１端末（３２）に接続された遠隔サーバ（５０）によって認証する方法であって，前記認証は，前記第１端末（３２）に複数の記号から構成される一連のコード（「１７５９」）を順次入力するステップと，入力された前記コードと前記ユーザ（３０）の秘密個人コードとを比較するステップとを含み，
　前記コード（「１７５９」）は前記第１端末（３２）に入力され，
　前記秘密個人コードは，予め前記第１端末又は前記遠隔サーバ（５０）に格納されており，前記方法は：
　ａ）前記第１端末（３２）の第１格子（３９）に第１の配列で配置され，そのサブセットが前記コード（「１７５９」）を構成するような一連の記号（１，２，・・・９，＊，＃）を前記第１端末（３２）から前記ユーザ（３０）に属する第２端末（３３）に送信するステップと；
　ｂ）前記第２端末（３３）のスクリーン上の第２格子（３７）に前記コード（「１７５９」）を含む前記一連の記号（１，２，・・・９，＊，＃）を前記第１の配列とは異なる第２の配列で配置して表示するステップと；
　ｃ）前記第２格子（３７）上で前記コード（「１７５９」）が前記第２の配列で配置されて表示されている位置の前記第１格子（３９）の前記第１の配列の対応位置（４０，４１，４２，４３）に表示されている記号を順次前記第１端末（３２）に入力するステップと；
　ｄ）前記第１端末（３２）又は前記遠隔サーバ（５０）において，前記ユーザ（３０）を認証するために，前記順次入力された記号が前記秘密個人コードと同一であるかをチェックするステップと；を備えた方法。
　　【請求項２】
　前記ステップａ）が，前記第１端末（３２）と協働するスクリーン上に，そのサブセットが前記コード（「１７５９」）を構成するような，順不同の一連の記号（１，２，・・・９，＊，＃）から構成された暗号化イメージ（３４）を表示するステップを備え，
　前記ステップｂ）が，前記第２端末（３３）に備えられたカメラと解読キー（３６）により前記第２端末（３３）において前記暗号化イメージ（３４）を解読するステップを備えることを特徴とする請求項１に記載の方法。
　　【請求項３】
　前記ステップａ）が，短距離無線接続又は局所ネットワーク接続により，前記の一連の記号（１，２，・・・９，＊，＃）を前記第１端末（３２）から前記第２端末（３３）へ送信するステップを備えることを特徴とする請求項１に記載の方法。
　　【請求項４】
　前記暗号化イメージ（３４）がＱＲコード（登録商標）であることを特徴とする請求項２に記載の方法。
　　【請求項５】
　前記第２端末（３３）がスマートホンであることを特徴とする請求項１乃至４のいずれかに記載の方法。
　　【請求項６】
　前記第２端末（３３）が，一対のスマート眼鏡であることを特徴とする請求項１乃至４のいずれかに記載の方法。
　　【請求項７】
　前記第１端末（３２）が，紙幣払出し機であることを特徴とする請求項１乃至６のいずれかに記載の方法。
　　【請求項８】
　前記第１端末（３２）が，小売販売端末であることを特徴とする請求項１乃至６のいずれかに記載の方法。
　　【請求項９】
　第１端末（３２）と称される端末であって，
　ａ）前記第１端末（３２）の第１格子（３９）に第１の配列で配置され，そのサブセットが前記コード（「１７５９」）を構成するような一連の記号（１，２，・・・９，＊，＃）を前記第１端末（３２）から前記ユーザ（３０）に属する第２端末（３３）に送信する手段と；
　ｂ）前記第２端末（３３）のスクリーン上の第２格子（３７）に前記コード（「１７５９」）を含む前記一連の記号（１，２，・・・９，＊，＃）を前記第１の配列とは異なる第２の配列で配置して表示する手段と；
　ｃ）前記第２格子（３７）上で前記コード（「１７５９」）が前記第２の配列で配置されて表示されている位置の前記第１格子（３９）の前記第１の配列の対応位置（４０，４１，４２，４３）に表示されている記号を順次前記第１端末（３２）に入力する手段とを備えた端末。
　　【請求項１０】
　前記ユーザ（３０）を認証するために，前記第１格子（３９）から順次入力された前記記号が前記秘密個人コードと同一であるかをチェックする手段を，さらに備えたことを特徴とする請求項９に記載の端末。
　　【請求項１１】
　前記第１格子（３９）に入力された前記記号を遠隔サーバ（５０）に送信する手段を，さらに備えたことを特徴とする請求項９に記載の端末。
　　【請求項１２】
　ユーザ（３０）を第１端末（３２）又は前記第１端末（３２）に接続された遠隔サーバ（５０）によって認証するシステムであって，前記認証は，前記第１端末（３２）に複数の記号から構成される一連のコード（「１７５９」）を順次入力する手段と，入力された前記コードと前記ユーザ（３０）の秘密個人コードとを比較する手段とを含み，
　前記コード（「１７５９」）は前記第１端末（３２）に入力され，
　前記秘密個人コードは，予め前記第１端末又は前記遠隔サーバ（５０）に格納されており，前記システムは：
　ａ）前記第１端末（３２）の第１格子（３９）に第１の配列で配置され，そのサブセットが前記コード（「１７５９」）を構成するような一連の記号（１，２，・・・９，＊，＃）を前記第１端末（３２）から前記ユーザ（３０）に属する第２端末（３３）に送信する手段と；
　ｂ）前記第２端末（３３）のスクリーン上の第２格子（３７）に前記コード（「１７５９」）を含む前記一連の記号（１，２，・・・９，＊，＃）を前記第１の配列とは異なる第２の配列で配置して表示する手段と；
　ｃ）前記第２格子（３７）上で前記コード（「１７５９」）が前記第２の配列で配置されて表示されている位置の前記第１格子（３９）の前記第１の配列の対応位置（４０，４１，４２，４３）に表示されている記号を順次前記第１端末（３２）に入力する手段と；
　ｄ）前記第１端末（３２）又は前記遠隔サーバ（５０）において，前記ユーザ（３０）を認証するために，前記順次入力された記号が前記秘密個人コードと同一であるかをチェックする手段と；を備えたシステム。
　　【請求項１３】
　前記システムは，さらに，
　ａ）前記第１端末（３２）と協働するスクリーン上に，そのサブセットが前記コード（「１７５９」）を構成するような，一連の記号（１，２，・・・９，＊，＃）から構成された暗号化イメージ（３４）を表示する手段と，
　ｂ）前記第２端末（３３）に備えられたカメラと解読キー（３６）により前記第２端末（３３）において前記暗号化イメージ（３４）を解読する手段とを備えることを特徴とする請求項１２に記載のシステム。」（以下，上記引用の請求項各項を，「補正後の請求項」という。）に補正された。
　
２．補正の適否
　本件手続補正が，特許法１８４条の１２第２項により読み替える同法１７条の２第３項の規定を満たすものであるか否か，即ち，本件手続補正が，平成２９年４月４日付けで提出された明細書，請求の範囲の日本語による翻訳文及び国際出願の願書に添付された図面（以下，これらを「当初明細書等」という。）に記載した事項の範囲内でなされたものであるかについて，以下に検討する。
　
（１）補正後の請求項１，９，１２に，
「ａ）前記第１端末（３２）の第１格子（３９）に第１の配列で配置され，そのサブセットが前記コード（「１７５９」）を構成するような一連の記号（１，２，・・・９，＊，＃）を前記第１端末（３２）から前記ユーザ（３０）に属する第２端末（３３）に送信するステップと；
　ｂ）前記第２端末（３３）のスクリーン上の第２格子（３７）に前記コード（「１７５９」）を含む前記一連の記号（１，２，・・・９，＊，＃）を前記第１の配列とは異なる第２の配列で配置して表示するステップ」
　と記載されているが，
　当初明細書等には，上記引用記載と同一の記載は存在しない。
　そこで，上記引用記載が，当初明細書から読み取れるかについて，以下に検討すると，当初明細書等には，
「【００２２】
　第１実施例では，本発明は以下のように機能する。
　
第１端末３２は暗号化イメージ３４を生成し，これをスクリーンに表示する
　イメージ３４はキー３８により暗号化されている。
暗号化イメージ３４はここではＱＲコードで，そのサブセットがユーザの秘密個人コードを構成する順不同の一連の記号を含んでいる
　【００２３】
　
これに対してユーザの第２端末３３はイメージ３４の暗号化キー３６を備えている
　第２端末３３に備えたカメラにより（スマート眼鏡にはカメラが備わっている），
暗号化イメージ３４は撮影されるか又はその写真が第２端末３３により取得される
　
第２端末３３に含まれている解読キー３６により，イメージ３４は解読され，第２端末３３のスクリーン上に表示される
順不同の一連の記号がスマートホンのスクリーン上に表示される
　【００２４】
　
順不動の一連の記号は，図３において，第２格子と称される格子３７内に配置されて表示される
　ここでは以前に取り上げたコード「１７５９」の例を取ると，記号は０〜９の数字である。
重要なポイントの一つは，少なくとも秘密個人コードの記号は，第２格子３７内に順不同にあることである。言い換えると，認証ごとに同一位置にあることはない
　【００２５】
　ユーザは第２格子３７を見て，第２格子３７内の自身のコードの位置を知る。次に，
ユーザは手動で自身の秘密個人コードの記号を第１格子と称される格子３９内の第２格子３７での自身の秘密個人コードの記号の対応位置に入力する
【００２６】
　
第１端末３２がスマートホンである場合，キーパッドはタッチパッドであり，第２格子３７と同一の形で仮想格子３９の表示となる
　
第１端末３２が加盟店での支払い端末の場合，物理的キー（押下されるキー）を備える場合もある
第１格子は物理的キーパッドで構成される
　という記載が存在し，更に，段落【００３２】に，
「より一般的には，本発明は以下のようなステップで構成される。
　ａ）順不同の一連の記号を第２端末３３のスクリーン上の第２格子３７内に，各記号が第２格子３７のボックスに格納されるように表示する。
　ｂ）ユーザ３０によって，
第１端末３２の第１格子３９内の第２格子３７中の秘密個人コードの記号の対応位置に秘密個人コードを入力する
　ｃ）第１端末３２又は遠隔サーバ５０において，ユーザ３０を認証するためにユーザ３０によって入力された一連の記号が秘密個人コードと同一であるかをチェックする。」，
　という記載が，段落【００３７】に，
「解読キー３６を備えた第２端末３３（ここではスマート眼鏡）によって，暗号化イメージの写真が取られ，解読された格子３７がスマート眼鏡３３上に表示される。そして，
ユーザは自分の第１端末３２の仮想格子（透明又は白色ボックス）中に自分の秘密個人コードを入力する
　位置が対応していれば，ユーザは認証される。」，
　という記載が存在している。そして，段落【００３７】の，
「ユーザは自分の第１端末３２の仮想格子（透明又は白色ボックス）中に自分の秘密個人コードを入力する」，
　という記載から，「第１端末３２の仮想格子３９」とは，「第１端末３２」の「第１格子３９」であることは，明らかであるから，上記引用の段落【００２２】〜段落【００２５】，段落【００３２】，及び，段落【００３７】に記載された内容から，当初明細書等においては，
“ユーザの秘密個人コードを構成する順不同の一連の記号が，第１端末３２において，暗号化イメージとして生成され，当該暗号化イメージが，第２端末３３に送信され，第２端末３３は，受信した暗号化イメージを，復号して，順不同の一連の記号を，第２格子３７に配置して表示し，ユーザは，自身の秘密個人コードを構成する記号が，第２格子３７上のどの場所に表示されているかを確認し，第１端末３２上で，（透明又は白色ボックスの）第１格子３９の同じ場所を押下する”ことが読み取れる。
　即ち，「ユーザ」は，「第２端末３３」の「第２格子３７」において，自身の「秘密個人コード」を構成する「記号」の位置情報を，「第１端末３２」の「第１格子３９」を用いて，「第１端末３２」へ通知していることになり，そのことによって，「第１端末３２」が，「ユーザ」が，正しい「記号」を選択したことを知るためには，「第１端末３２」が，「順不同の一連の記号」が，「第２端末３３」の「第２格子３７」上の何処に「配置」されているかを知っていて，「第１格子３９」と，「第２格子３７」とが，同じ位置座標を持っている，つまり，「第１格子３９」の位置座標を指定することで，何の「記号」が選択されたかを「第１端末３２」が知ることができる（以下，これを「構成１」という），或いは，「第１端末３２」の「第１格子３９」上で，「順不同の一連の記号」が，「第２端末３３」の「第２格子３７」上と同じく配置されている（以下，これを「構成２」という）ことが必要であることが読み取れる。
　以上に検討したことから，仮に，「第２端末３３」の「第２格子３７」上に，「順不同の一連の記号」を「配置」した，その並びを，「第２の配列」と呼ぶとしても，
　当初明細書等において読み取れる構成は，「第１端末３２」の「第１格子３９」には，
「順不同の一連の記号」が配置されていない（構成１）か，或いは，
「第１端末３２」の「第１格子３９」に，「第２端末３３」の「第２格子３７」と同じく，「順不同の一連の記号」が配置されている（構成２）かの何れかである。
　したがって，当初明細書等からは，「第１端末３２」の「第１格子３９」に「順不同の一連の記号」が「配置」されていないか，或いは，「第２端末３３」の「第２格子３７」と同じに「配置」されているかの何れかであることまでは読み取れるが，本願の請求項１の，特に，
「ｂ）前記第２端末（３３）のスクリーン上の第２格子（３７）に前記コード（「１７５９」）を含む前記一連の記号（１，２，・・・９，＊，＃）を前記第１の配列とは異なる第２の配列で配置して表示する」，
　ことを読み取ることはできない。
　また，そのような構成は，当該技術分野において，周知の構成でもない。
　
（２）補正後の請求項１，９，１２に，
「ｃ）前記第２格子（３７）上で前記コード（「１７５９」）が前記第２の配列で配置されて表示されている位置の前記第１格子（３９）の前記第１の配列の対応位置（４０，４１，４２，４３）に表示されている記号を順次前記第１端末（３２）に入力するステップ」，
　と記載されているが，当初明細書等には，上記引用記載と同一の記載は存在しない。
　そこで，上記引用記載が，当初明細書から読み取れるかについて，以下に検討すると，
　当初明細書等の，上記（１）において引用した，段落【００２２】〜段落【００２６】，段落【００３２】及び，段落【００３７】，特に，段落【００３７】の，
「ユーザは自分の第１端末３２の仮想格子（透明又は白色ボックス）」，
　という記載から，「第１端末３２」には，“何も表示されていない”ことが読み取れ，
　当初明細書等の上記引用の記載以外の記載内容を検討しても，
「第１格子（３９）」の「第１の配列の対応位置（４０，４１，４２，４３）」に「記号」が「表示されている」ことを読み取ることができない。
　以上に検討したとおりであるから，当初明細書等からは，
「第２格子（３７）上で前記コード（「１７５９」）が前記第２の配列で配置されて表示されている位置の前記第１格子（３９）の前記第１の配列の対応位置（４０，４１，４２，４３）に表示されている記号を順次前記第１端末（３２）に入力するステップ」，
　という構成を読み取ることはできない。
　また，そのような構成は，当該技術分野において，周知の構成でもない。
　
（３）上記（１），及び，（２）において検討したとおりであるから，本件手続補正は，当初明細書等の記載の範囲内でなされたものではない。
　
３．補正却下むすび
　したがって，本件手続補正は，特許法１８４条の１２第２項により読み替える同法１７条の２第３項の規定に違反するので，同法１５９条１項において読み替えて準用する同法５３条１項の規定により却下すべきものである。
　
　よって，補正却下の決定の結論のとおり決定する。
　
第３．本願発明について
　平成３１年１月３０日付けの手続補正は，上記のとおり却下されたので，本願の請求項１２に係る発明（以下，これを「本願発明」という。）は，平成３０年５月２８日付けの手続補正により補正された，上記「第２．平成３１年１月３０日付けの手続補正の却下の決定」の「１．補正の内容」において，補正前の請求項１２として引用した，次のとおりのものである。
　
「第２端末（３３）と称されるユーザ端末であって，
　ａ）第１端末（３２）から，そのサブセット（１，７，５，９）がユーザ（３０）の秘密個人コードと比較されるコードを構成するような，順不同の一連の記号（１，２，・・・９，＊，＃）を受信する手段と；
　ｂ）前記第２端末（３３）のスクリーン上の第２格子（３７）に前記サブセット（１，７，５，９）を含む前記順不同の一連の記号（１，２，・・・９，＊，＃）を配置して表示する手段と；
を備えたユーザ端末。」
　
第４．原審における拒絶査定の理由の概要
　原審における平成３０年９月２５日付けの拒絶査定の理由は概略，この出願の請求項１２に係る発明は，本願の優先権主張の日（以下，「優先日」という。）前に日本国内又は外国において，頒布された又は電気通信回線を通じて公衆に利用可能となった下記の引用文献（以下，これを，「引用文献」という。）１−２に記載された発明及び周知技術に基づいて，その出願前にその発明の属する技術の分野における通常の知識を有する者が容易に発明をすることができたものであるから，特許法２９条２項の規定により特許を受けることができない，というものである。
　
　引用文献一覧；
　１．特開２０１０−１３９７１１号公報
　２．特開２０１２−１７４２０８号公報
　
第５．引用文献に記載の事項及び発明
１．引用文献に記載の事項
　原審における平成３０年３月２７日付けの拒絶理由（以下，これを「原審拒絶理由」という。）において引用された，本願の第１国出願前に既に公知である，特開２０１０−１３９７１１号公報（２０１０年６月２４日公開，以下，これを「引用文献１」という。）には，関連する図面と共に，次の事項が記載されている。
　
Ａ．「【実施例１】
　【００１６】
［認証システム１の概略構成］
　先ず，実施例１に係る認証システム１の概略構成について図１に基づき説明する。図１は実施例１に係る認証システム１の概略構成を示す図である。
　図１に示すように，実施例１に係る
認証システム１は，ユーザ２の頭部に装着されるヘッドマウントディスプレイ３と，このヘッドマウントディスプレイ３と通信可能に接続される認証装置５とから構成されている。
　
Ｂ．「【００２８】
　図３に示すように，
ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５からパスワード等の入力値の配列データや各種ファイルデータ等の各種コンテンツ情報（表示情報）が入力される外部接続部３３と，出射装置１１によって表示するコンテンツやテキスト等のイメージデータを格納するビデオＲＡＭ３４と，出射装置１１によって表示するテキストのフォントデータを格納するフォントＲＯＭ３５と，ヘッドマウントディスプレイ３の全体を制御する制御部３６と，電源部３７等とから構成されている
　
Ｃ.「【００３０】
  また，
撮像部３２は，輝度センサ１５，ＬＥＤ１６，ＣＣＤセンサ１７，距離エンコーダ１９及びＣＣＤコントローラ１４から構成され
【００３１】
  また，外部接続部３３は，認証装置５や外部機器（例えば，パーソナルコンピュータである。）に接続されて，各種ファイルデータ等の各種コンテンツ情報を取得する外部接続モジュール４５と，外部接続制御回路４６とから構成されている。そして，外部接続制御
回路４６は外部接続モジュール４５から入力されたコンテンツ情報を制御部３６に出力し，当該コンテンツ情報はフラッシュメモリ５２に記憶される。また，外部接続制御回路４６は外部接続モジュール４５を介して認証装置５から入力された入力キー群７の各入力キーに割り当てられた入力値の配列情報を制御部３６のＲＡＭ５３の入力値記憶領域へ記憶する。
【００３２】
　また，
制御部３６は，ＣＰＵ５１，フラッシュメモリ５２，ＲＡＭ５３等とから構成され
　また，ＣＰＵ５１は，ヘッドマウントディスプレイ３の全体を制御し，ヘッドマウントディスプレイ３の動作に関する全てのデータを管理する演算処理装置である。また，
ＣＰＵ５１は，入力キー群７の各入力キーに付与された入力値の配列状態を表す配列データをフォントＲＯＭ３５に記憶されたフォントデータに基づいて画像信号に変換し，また，各種コンテンツ情報を画像信号に変換してビデオＲＡＭ３４に記憶する
　
Ｄ．「【００５２】
［認証装置５の概略構成］
　次に，認証装置５の概略構成について図５に基づき説明する。図５は認証装置５の概略構成を示すブロック図である。
　図５に示すように，
認証装置５は，ユーザＩＤ取得部１２１と，入力キー群７と，情報処理部１２５と，認証後処理部１２６と，ヘッドマウントディスプレイ３の外部接続モジュール４５に赤外線通信等の無線通信や有線通信等によって接続されて双方向通信が可能な通信部１２７等とから構成されている
　【００５３】
　また，ユーザＩＤ取得部１２１は，ユーザ２を識別するためのユーザＩＤを取得するためのものであり，ユーザＩＤが記憶されたＩＣカード等から当該ユーザＩＤを読み取る読取装置（不図示）から構成されている。
　【００５４】
　また，パスワード等を入力する入力キー群７は，押しボタン式の９個の入力キー７Ａ〜７Ｉ（図７参照）が３行３列で配置されて構成されている。また，各入力キー７Ａ〜７Ｂには，情報処理部１２５によって「１」〜「９」の９個の入力値がランダムに付与されるが，各入力キー７Ａ〜７Ｉ上には，それぞれの入力値は表示されていない（図７参照）。そして，ユーザ２が指先で押下した入力キーに対応するキー信号が，情報処理部１２５の認証部１３３へ出力される。
　【００５５】
　また，
情報処理部１２５は，ユーザ情報取得部１３１，入力値設定部１３２及び認証部１３３等から構成されている
　【００５６】
　また，
入力値設定部１３２は，入力キー群７の９個の入力キー７Ａ〜７Ｉに「１」〜「９」の９個の入力値をランダムに設定して記憶する
　【００５７】
　また，
認証部１３３は，入力キー群７の９個の入力キー７Ａ〜７Ｉを介して入力されたキー信号に基づいて，入力値設定部１３２から入力された各入力キー７Ａ〜７Ｉに設定された「１」〜「９」の９個の入力値から入力パスワードを取得する入力パスワード取得部１３５と，この入力パスワードとユーザ情報取得部１３１から入力された照合パスワードとを照合するパスワード照合部１３６とから構成されている
　【００５８】
　また，
情報処理部１２５は，ヘッドマウントディスプレイ３から各入力キー７Ａ〜７Ｉに対応する入力値の配列情報を要求する配列データ要求信号が通信部１２７を介して入力された場合には，入力値設定部１３２から各入力キー７Ａ〜７Ｉに対応する入力値を取得し，この各入力キー７Ａ〜７Ｉの入力値を当該各入力キー７Ａ〜７Ｉの並び順に配列した３行３列の配列情報を通信部１２７を介してヘッドマウントディスプレイ３へ出力する
　
Ｅ．「【００８４】
　Ｓ２４において，ＣＰＵ５１は，外部接続モジュール４５を介して，認証装置５へ各入力キー７Ａ〜７Ｉに対応する入力値の配列情報を要求する配列データ要求信号を送信する。そして，
ＣＰＵ５１は，この認証装置５から各入力キー７Ａ〜７Ｉに対応する入力値を当該各入力キー７Ａ〜７Ｉの並び順に配列した３行３列の配列情報を受信して，ＲＡＭ５３に記憶する
　【００８５】
　続いて，Ｓ２５において，ＣＰＵ５１は，ＲＡＭ５３から入力値フラグＦＫを読み出し，この入力値フラグＦＫに「１」を代入して，再度ＲＡＭ５３に記憶後，Ｓ２６の処理に移行する。
　Ｓ２６において，ＣＰＵ５１は，ビデオＲＡＭ３４を初期化する。つまり，ＣＰＵ５１は，出射装置１１によるコンテンツ（画像）の表示を一度消去する。
　【００８６】
　そして，Ｓ２７において，ＣＰＵ５１は，上記Ｓ１７，Ｓ１９，Ｓ２１又はＳ２２で，各入力キー７Ａ〜７Ｉの入力値の配置領域としてＲＡＭ５３に記憶した撮像画像１４３上の撮像領域（左側撮像領域ＲＬ，右側撮像領域ＲＲ，上側撮像領域ＲＵ又は下側撮像領域ＲＬのうちのいずれかである。）を再度ＲＡＭ５３から読み出す。また，
ＣＰＵ５１は，上記Ｓ２４で取得した各入力キー７Ａ〜７Ｉの入力値の３行３列の配列情報をＲＡＭ５３から読み出し，ＣＣＤセンサ１７によって撮像されるユーザ２の視野範囲に重ねて設定されている表示領域１４５（図１０参照）内で，このＲＡＭ５３から読み出した配置領域に対応する表示位置に，当該各入力キー７Ａ〜７Ｉの入力値を３行３列の配列情報に従って配置して表示する画像データ（コンテンツ情報）を作成してＲＡＭ５３に記憶する
　【００８７】
　つまり，ＣＰＵ５１は，ＣＣＤセンサ１７によって撮像されるユーザ２の視野範囲と重なって視認される表示領域１４５上に，各入力キー７Ａ〜７Ｉの入力値を３行３列に配置した入力値画像１４６（図１０参照）を配置した画像データ（コンテンツ情報）を作成してＲＡＭ５３に記憶する。
　【００８８】
　その後，ＣＰＵ５１は，この画像データを画像信号に変換して，ビデオＲＡＭ３４に記憶した後，再度Ｓ１２以降の処理を実行する。つまり，
ＣＰＵ５１は，入力キー群７に重ならないユーザ２の視野範囲中に当該各入力キー７Ａ〜７Ｉの入力値を３行３列に配置した入力値画像１４６（図１０参照）を出射装置１１を介して表示後，再度Ｓ１２以降の処理を実行する
　
Ｆ．「【００９１】
　そして，ＣＰＵ５１は，ＣＣＤセンサ１７によって撮像されるユーザ２の視野範囲に重なるように設定されている表示領域１４５中において，表面に入力値が表示されていない各入力キー７Ａ〜７Ｉから構成される入力キー群７の左側上方に，各入力キー７Ａ〜７Ｉの入力値を３行３列に配置した入力値画像１４６を表示する画像データ（コンテンツ情報）を作成してＲＡＭ５３に記憶する。例えば，ＣＰＵ５１は，３行３列のマス目を赤色の点線で表示し，１行目の各マス目に「６」，「８」，「３」，２行目の各マス目に「２」，「５」，「１」，３行目の各マス目に「９」，「４」，「７」の各入力値が赤色の数字でそれぞれ配置された入力値画像１４６を表示する画像データ（コンテンツ情報）を作成してＲＡＭ５３に記憶する。その後，ＣＰＵ５１は，当該画像データを画像信号に変換してビデオＲＡＭ３４に記憶する。
　【００９２】
　これにより，図１０に示すように，出射装置１１を介してユーザ２の視野範囲に重なるように設定されている表示領域１４５中の左側上方の，入力キー群７に重ならない視野範囲中に，例えば，各入力キー７Ａ〜７Ｉに対応する３行３列の入力値が，１行目に「６」，「８」，「３」，２行目に「２」，「５」，「１」，３行目に「９」，「４」，「７」と赤色の数字で表示された入力値画像１４６が表示される。
　従って，
ユーザ２は，当該入力値画像１４６と入力キー群７を同時に見ながら，この表示された入力値画像１４６の各入力値に対応する各入力キー７Ａ〜７Ｉを押下してパスワードを入力することができる
　【００９３】
　ここで，出射装置１１，ビデオＲＡＭ３４は，表示手段の一例を構成する。また，ＣＣＤカメラ１２は，撮像手段の一例として機能する。また，ＣＰＵ５１，ＲＡＭ５３は，位置検出手段，表示情報作成手段の一例を構成する。また，ＣＰＵ５１，フラッシュメモリ５２は，表示制御手段の一例として機能する。
　【００９４】
　以上説明した通り，実施例１に係る
ヘッドマウントディスプレイ３では，ＣＣＤセンサ１７によって撮像されるユーザ２の視野範囲に重なるように設定されている表示領域１４５内において，入力キー群７の各入力キー７Ａ〜７Ｉにランダムに付与された数字等の入力値が３行３列に配置された入力値画像１４６を当該入力キー群７に重ならないように直接ユーザ２の網膜上に投射して表示する
　
Ｇ．「
」
　
２．引用文献１に記載の発明
（１）上記Ａの「認証システム１は，ユーザ２の頭部に装着されるヘッドマウントディスプレイ３と，このヘッドマウントディスプレイ３と通信可能に接続される認証装置５とから構成されている。」という記載，上記Ｂの「ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５からパスワード等の入力値の配列データや各種ファイルデータ等の各種コンテンツ情報（表示情報）が入力される外部接続部３３と，出射装置１１によって表示するコンテンツやテキスト等のイメージデータを格納するビデオＲＡＭ３４と，出射装置１１によって表示するテキストのフォントデータを格納するフォントＲＯＭ３５と，ヘッドマウントディスプレイ３の全体を制御する制御部３６と，電源部３７等とから構成されている」という記載，上記Ｃの「制御部３６は，ＣＰＵ５１，フラッシュメモリ５２，ＲＡＭ５３等とから構成され」という記載，上記Ｃの「ＣＰＵ５１は，ヘッドマウントディスプレイ３の全体を制御し，ヘッドマウントディスプレイ３の動作に関する全てのデータを管理する演算処理装置である」という記載，同じく，上記Ｃの「ＣＰＵ５１は，入力キー群７の各入力キーに付与された入力値の配列状態を表す配列データをフォントＲＯＭ３５に記憶されたフォントデータに基づいて画像信号に変換し・・・ビデオＲＡＭ３４に記憶する」という記載，及び，上記Ｅの「ＣＰＵ５１は，この認証装置５から各入力キー７Ａ〜７Ｉに対応する入力値を当該各入力キー７Ａ〜７Ｉの並び順に配列した３行３列の配列情報を受信して，ＲＡＭ５３に記憶する」という記載において，「認証装置５からパスワード等の入力値の配列データ」，「入力キー群７の各入力キーに付与された入力値の配列状態を表す配列データ」，及び，「各入力キー７Ａ〜７Ｉに対応する入力値を当該各入力キー７Ａ〜７Ｉの並び順に配列した３行３列の配列情報」における，「配列データ」と，「配列情報」とは，同義であると解せるので，上記引用の引用文献１の記載内容から，引用文献１には，
“ヘッドマウントディスプレイ３であって，
　前記ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５から各入力キー７Ａ〜７Ｉに対応する入力値を当該各入力キー７Ａ〜７Ｉの並び順に配列した３行３列の配列データを受信する外部接続部３３と，出射装置１１によって表示するコンテンツやテキスト等のイメージデータを格納するビデオＲＡＭ３４と，出射装置１１によって表示するテキストのフォントデータを格納するフォントＲＯＭ３５と，前記ヘッドマウントディスプレイ３の全体を制御する制御部３６とを有し，
　前記制御部３６は，ＣＰＵ５１，フラッシュメモリ５２，ＲＡＭ５３等とから構成され，
　前記ＣＰＵ５１は，前記認証装置５から前記配列データを受信して，ＲＡＭ５３に記憶し，前記配列データを前記フォントＲＯＭ３５に記憶されたフォントデータに基づいて画像信号に変換し，前記ビデオＲＡＭ３４に記憶する”ことが記載されていると読み取れる。
　
（２）上記Ｄの「認証装置５は，ユーザＩＤ取得部１２１と，入力キー群７と，情報処理部１２５と，認証後処理部１２６と，ヘッドマウントディスプレイ３の外部接続モジュール４５に赤外線通信等の無線通信や有線通信等によって接続されて双方向通信が可能な通信部１２７等とから構成されている」という記載，同じく，上記Ｄの「情報処理部１２５は，ユーザ情報取得部１３１，入力値設定部１３２及び認証部１３３等から構成されている」という記載，同じく，上記Ｄの「入力値設定部１３２は，入力キー群７の９個の入力キー７Ａ〜７Ｉに「１」〜「９」の９個の入力値をランダムに設定して記憶する」という記載，及び，同じく，上記Ｄの「情報処理部１２５は，ヘッドマウントディスプレイ３から各入力キー７Ａ〜７Ｉに対応する入力値の配列情報を要求する配列データ要求信号が通信部１２７を介して入力された場合には，入力値設定部１３２から各入力キー７Ａ〜７Ｉに対応する入力値を取得し，この各入力キー７Ａ〜７Ｉの入力値を当該各入力キー７Ａ〜７Ｉの並び順に配列した３行３列の配列情報を通信部１２７を介してヘッドマウントディスプレイ３へ出力する」という記載から，引用文献１には，
“認証装置５は，入力キー群７と，情報処理部１２５と，認証後処理部１２６と，ヘッドマウントディスプレイ３の外部接続モジュール４５に赤外線通信等の無線通信や有線通信等によって接続されて双方向通信が可能な通信部１２７等とから構成され，前記情報処理部１２５は，ユーザ情報取得部１３１，入力値設定部１３２及び認証部１３３等から構成され，前記入力設定部１３２は，前記入力キー群７の９個の入力キー７Ａ〜７Ｉに「１」〜「９」の９個の入力値をランダムに設定して記憶し，情報処理部１２５は，ヘッドマウントディスプレイ３から各入力キー７Ａ〜７Ｉに対応する入力値の配列情報を要求する配列データ要求信号が前記通信部１２７を介して入力された場合には，前記入力値設定部１３２から各入力キー７Ａ〜７Ｉに対応する入力値を取得し，この各入力キー７Ａ〜７Ｉの入力値を当該各入力キー７Ａ〜７Ｉの並び順に配列した３行３列の配列情報を前記通信部１２７を介して前記ヘッドマウントディスプレイ３へ出力する”ことが記載されていると読み取れ，上記（１）において検討した事項を踏まえると，引用文献１においては，
“ヘッドマウントディスプレイ３であって，
　前記ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５から各入力キー７Ａ〜７Ｉに対応するランダムに設定した入力値を当該各入力キー７Ａ〜７Ｉの並び順に配列した３行３列の配列データを受信する外部接続部３３と，出射装置１１によって表示するコンテンツやテキスト等のイメージデータを格納するビデオＲＡＭ３４と，出射装置１１によって表示するテキストのフォントデータを格納するフォントＲＯＭ３５と，前記ヘッドマウントディスプレイ３の全体を制御する制御部３６とを有し，
　前記制御部３６は，ＣＰＵ５１，フラッシュメモリ５２，ＲＡＭ５３等とから構成され，
　前記ＣＰＵ５１は，前記認証装置５から前記配列データを受信して，ＲＡＭ５３に記憶し，前記配列データを前記フォントＲＯＭ３５に記憶されたフォントデータに基づいて画像信号に変換し，前記ビデオＲＡＭ３４に記憶する”ものであることが読み取れる。
　
（３）上記Ｄの「認証部１３３は，入力キー群７の９個の入力キー７Ａ〜７Ｉを介して入力されたキー信号に基づいて，入力値設定部１３２から入力された各入力キー７Ａ〜７Ｉに設定された「１」〜「９」の９個の入力値から入力パスワードを取得する入力パスワード取得部１３５と，この入力パスワードとユーザ情報取得部１３１から入力された照合パスワードとを照合するパスワード照合部１３６とから構成されている」という記載，同じく，上記Ｄの「ユーザ情報取得部１３１は，ユーザ情報ＤＢ１２８とネットワークを介して接続されており，ユーザＩＤ取得部１２１からユーザＩＤを取得し，このユーザＩＤに対応するパスワードをユーザ情報ＤＢ１２８から読み出して，一時的に記憶すると共に，認証部１３３のパスワード照合部１３６へ照合パスワードとして出力する」という記載，及び，上記Ｆの「ユーザ２は，当該入力値画像１４６と入力キー群７を同時に見ながら，この表示された入力値画像１４６の各入力値に対応する各入力キー７Ａ〜７Ｉを押下してパスワードを入力することができる」という記載から，「各入力値に対応する各入力キー７Ａ〜７Ｉ」は，“ユーザＩＤに対応するパスワードを示す照合パスワードと比較するための入力パスワードを入力する”ために用いられるものであるから，このことと，上記（１），及び，上記（２）において検討した事項から，引用文献１においては，
“ヘッドマウントディスプレイ３であって，
　前記ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５から，ユーザＩＤに対応するパスワードを示す照合パスワードと比較するための入力パスワードを入力するために用いられる各入力キー７Ａ〜７Ｉに対応するランダムに設定した入力値を当該各入力キー７Ａ〜７Ｉの並び順に配列した３行３列の配列データを受信する外部接続部３３と，出射装置１１によって表示するコンテンツやテキスト等のイメージデータを格納するビデオＲＡＭ３４と，出射装置１１によって表示するテキストのフォントデータを格納するフォントＲＯＭ３５と，前記ヘッドマウントディスプレイ３の全体を制御する制御部３６とを有し，
　前記制御部３６は，ＣＰＵ５１，フラッシュメモリ５２，ＲＡＭ５３等とから構成され，
　前記ＣＰＵ５１は，前記認証装置５から前記配列データを受信して，ＲＡＭ５３に記憶し，前記配列データを前記フォントＲＯＭ３５に記憶されたフォントデータに基づいて画像信号に変換し，前記ビデオＲＡＭ３４に記憶する”ものであることが読み取れる。
　
（４）上記Ｃの「撮像部３２は，輝度センサ１５，ＬＥＤ１６，ＣＣＤセンサ１７，距離エンコーダ１９及びＣＣＤコントローラ１４から構成され」という記載，上記Ｅの「ＣＰＵ５１は，上記Ｓ２４で取得した各入力キー７Ａ〜７Ｉの入力値の３行３列の配列情報をＲＡＭ５３から読み出し，ＣＣＤセンサ１７によって撮像されるユーザ２の視野範囲に重ねて設定されている表示領域１４５（図１０参照）内で，このＲＡＭ５３から読み出した配置領域に対応する表示位置に，当該各入力キー７Ａ〜７Ｉの入力値を３行３列の配列情報に従って配置して表示する画像データ（コンテンツ情報）を作成してＲＡＭ５３に記憶する」という記載，同じく，上記Ｅの「ＣＰＵ５１は，入力キー群７に重ならないユーザ２の視野範囲中に当該各入力キー７Ａ〜７Ｉの入力値を３行３列に配置した入力値画像１４６（図１０参照）を出射装置１１を介して表示後，再度Ｓ１２以降の処理を実行する」という記載，上記Ｆの「ＣＰＵ５１は，ＣＣＤセンサ１７によって撮像されるユーザ２の視野範囲に重なるように設定されている表示領域１４５中において，表面に入力値が表示されていない各入力キー７Ａ〜７Ｉから構成される入力キー群７の左側上方に，各入力キー７Ａ〜７Ｉの入力値を３行３列に配置した入力値画像１４６を表示する画像データ（コンテンツ情報）を作成してＲＡＭ５３に記憶する。例えば，ＣＰＵ５１は，３行３列のマス目を赤色の点線で表示し，１行目の各マス目に「６」，「８」，「３」，２行目の各マス目に「２」，「５」，「１」，３行目の各マス目に「９」，「４」，「７」の各入力値が赤色の数字でそれぞれ配置された入力値画像１４６を表示する画像データ（コンテンツ情報）を作成してＲＡＭ５３に記憶する。その後，ＣＰＵ５１は，当該画像データを画像信号に変換してビデオＲＡＭ３４に記憶する」という記載，同じく，上記Ｆの「これにより，図１０に示すように，出射装置１１を介してユーザ２の視野範囲に重なるように設定されている表示領域１４５中の左側上方の，入力キー群７に重ならない視野範囲中に，例えば，各入力キー７Ａ〜７Ｉに対応する３行３列の入力値が，１行目に「６」，「８」，「３」，２行目に「２」，「５」，「１」，３行目に「９」，「４」，「７」と赤色の数字で表示された入力値画像１４６が表示される」という記載，及び，同じく，上記Ｆの「ヘッドマウントディスプレイ３では，ＣＣＤセンサ１７によって撮像されるユーザ２の視野範囲に重なるように設定されている表示領域１４５内において，入力キー群７の各入力キー７Ａ〜７Ｉにランダムに付与された数字等の入力値が３行３列に配置された入力値画像１４６を当該入力キー群７に重ならないように直接ユーザ２の網膜上に投射して表示する」という記載と，上記（１）において検討した事項から，引用文献１においては，
“ＣＰＵ５１は，取得した各入力キー７Ａ〜７Ｉの入力値の３行３列の配列情報をＲＡＭ５３から読み出し，撮影部３２によって撮像されるユーザ２の視野範囲に重なるように設定されている表示領域１４５中において，表面に入力値が表示されていない各入力キー７Ａ〜７Ｉから構成される入力キー群７の左側上方に，例えば，３行３列のマス目を赤色の点線で表示し，１行目の各マス目に「６」，「８」，「３」，２行目の各マス目に「２」，「５」，「１」，３行目の各マス目に「９」，「４」，「７」の各入力値が赤色の数字でそれぞれ配置された入力値画像１４６を表示する画像データを作成してＲＡＭ５３に記憶し，その後，ＣＰＵ５１は，当該画像データを画像信号に変換してビデオＲＡＭ３４に記憶し，
　これにより，出射装置１１を介してユーザ２の視野範囲に重なるように設定されている表示領域１４５中の左側上方の，入力キー群７に重ならない視野範囲中に，例えば，各入力キー７Ａ〜７Ｉに対応する３行３列の入力値が，直接ユーザ２の網膜上に投射して表示される。”ものであることが読み取れる。
　
（５）以上，上記（１）〜上記（４）において検討した事項から，引用文献１には，次の発明（以下，これを「引用発明」という）が記載されているものと認める。
　
「ヘッドマウントディスプレイ３であって，
　前記ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５から，ユーザＩＤに対応するパスワードを示す照合パスワードと比較するための入力パスワードを入力するために用いられる各入力キー７Ａ〜７Ｉに対応するランダムに設定した入力値を当該各入力キー７Ａ〜７Ｉの並び順に配列した３行３列の配列データを受信する外部接続部３３と，出射装置１１によって表示するコンテンツやテキスト等のイメージデータを格納するビデオＲＡＭ３４と，出射装置１１によって表示するテキストのフォントデータを格納するフォントＲＯＭ３５と，前記ヘッドマウントディスプレイ３の全体を制御する制御部３６とを有し，
　前記制御部３６は，ＣＰＵ５１，フラッシュメモリ５２，ＲＡＭ５３等とから構成され，
　前記ＣＰＵ５１は，前記認証装置５から前記配列データを受信して，ＲＡＭ５３に記憶し，前記配列データを前記ＲＡＭ５３から読み出し，前記撮像部３２によって撮像されるユーザ２の視野範囲に重なるように設定されている表示領域１４５中において，表面に入力値が表示されていない各入力キー７Ａ〜７Ｉから構成される入力キー群７の左側上方に，例えば，３行３列のマス目を赤色の点線で表示し，１行目の各マス目に「６」，「８」，「３」，２行目の各マス目に「２」，「５」，「１」，３行目の各マス目に「９」，「４」，「７」の各入力値が赤色の数字でそれぞれ配置された入力値画像１４６を表示する画像データを作成して前記ＲＡＭ５３に記憶し，その後，前記ＣＰＵ５１は，当該画像データを画像信号に変換して前記ビデオＲＡＭ３４に記憶し，
　これにより，前記出射装置１１を介して前記ユーザ２の視野範囲に重なるように設定されている表示領域１４５中の左側上方の，入力キー群７に重ならない視野範囲中に，例えば，前記配列データが，直接ユーザ２の網膜上に投射して表示される,ヘッドマウントディスプレイ３。」
　
３．周知文献に記載の事項
　本願の第１国出願前に既に公知である，特開２０１３−１３１１６４号公報（２０１３年７月４日公開，以下，これを「周知文献」という）の【図３】には，次の事項が記載されている。
　
Ｈ．「
」
　
第６．本願発明と引用発明との対比
１．引用発明における「ユーザＩＤのパスワード」，「入力パスワード」が，それぞれ，
　　本願発明における「ユーザ（３０）の秘密個人コード」，「比較されるコード」に相当し，
　引用発明における「配列データ」は，「各入力キー７Ａ〜７Ｉに対応するランダムに設定した入力値」から構成されるものであって,当該「入力値」は，「数字」であり，「数字」も一種の記号であるから，
　本願発明における「順不同の一連の記号（１，２，・・・９，＊，＃）」とは，
“順不同の一連の記号列”である点で共通し，
　引用発明における「ヘッドマウントディスプレイ３」は，「ユーザ２」の端末であることは明らかであり，「認証装置５」から，“順不同の一連の記号列”を受信するものであるから，
　引用発明における「ヘッドマウントディスプレイ３」，「認証装置５」，「ユーザ２」が，それぞれ，
　本願発明における「第２の端末（３３）と称されるユーザ端末」，「第１端末（３２）」，「ユーザ（３０）」に相当し，
　引用発明において，「配列データ」は，「外部接続部３３」によって受信されるので，
　引用発明における「外部接続部３３」が，
　本願発明における「順不同の一連の記号（１，２，・・・９，＊，＃）を受信する手段」に相当する。
　
２．引用発明において，「配列データ」は，「各入力キー７Ａ〜７Ｉに対応するランダムに設定した入力値を当該各入力キー７Ａ〜７Ｉの並び順に配列した３行３列の配列」であって，「ユーザ２」は，この「配列データ」から，自身の「ユーザＩＤに対応するパスワード」に対応する数値を順に選択して，「入力パスワード」として入力するのであるから，当該「ユーザＩＤに対応するパスワード」は，「配列データ」の「サブセット」と言い得るものである。
　そして，本願発明における「サブセット（１，７，５，９）」における「（１，７，５，９）」は，パスワードの例を示すものである。
　したがって，上記１．において検討した事項と併せると，
　引用発明における「ヘッドマウントディスプレイ３であって，
　前記ヘッドマウントディスプレイ３は，画像光を出射する出射装置１１と，各種操作やデータの入力を行うための入力部３１と，認証装置５の入力キー群７等の撮像対象物を撮像すると共に当該撮像対象物までの距離を検出するための撮像部３２と，認証装置５から，ユーザＩＤに対応するパスワードを示す照合パスワードと比較するための入力パスワードを入力するために用いられる各入力キー７Ａ〜７Ｉに対応するランダムに設定した入力値を当該各入力キー７Ａ〜７Ｉの並び順に配列した３行３列の配列データを受信する外部接続部３３」と，
　本願発明における「第２端末（３３）と称されるユーザ端末であって，
　ａ）第１端末（３２）から，そのサブセット（１，７，５，９）がユーザ（３０）の秘密個人コードと比較されるコードを構成するような，順不同の一連の記号（１，２，・・・９，＊，＃）を受信する手段」とは，
“第２端末（３３）と称されるユーザ端末であって，
　ａ）第１端末（３２）から，そのサブセット（１，７，５，９）がユーザ（３０）の秘密個人コードと比較されるコードを構成するような，順不同の一連の記号列を受信する手段”
　である点で共通する。
　
３．引用発明において，「表示領域１４５」は，「配列データ」が，表示される場所であるから，
　引用発明における「表示領域１４５」が，
　本願発明における「スクリーン」に相当し，
　引用発明において，「配列データ」は，「表面に入力値が表示されていない各入力キー７Ａ〜７Ｉから構成される入力キー群７の左側上方に」，「例えば，３行３列のマス目を赤色の点線で表示し，１行目の各マス目に「６」，「８」，「３」，２行目の各マス目に「２」，「５」，「１」，３行目の各マス目に「９」，「４」，「７」の各入力値が赤色の数字でそれぞれ配置された入力値画像１４６を表示する画像データ」として，表示されるものであり，上記Ｇに引用した，引用文献１の【図１０】に開示の事項を踏まえると，引用発明における「配列データ」も，「入力キー群７」も，「格子状」に表示されるものである。
　そして，引用発明において，「出射装置１１」は，「配列データ」を，「網膜上に投射して表示する」ものであることから，
　引用発明における「出射装置１１」が，
　本願発明における「表示する手段」に相当し，
　引用発明において，「配列データ」は，「入力キー群７」に対して，“第２の格子に表示される”ものであると言い得るものであるから，
　引用発明における「ＣＰＵ５１は，前記認証装置５から前記配列データを受信して，ＲＡＭ５３に記憶し，前記配列データを前記ＲＡＭ５３から読み出し，前記撮像部３２によって撮像されるユーザ２の視野範囲に重なるように設定されている表示領域１４５中において，表面に入力値が表示されていない各入力キー７Ａ〜７Ｉから構成される入力キー群７の左側上方に，例えば，３行３列のマス目を赤色の点線で表示し，１行目の各マス目に「６」，「８」，「３」，２行目の各マス目に「２」，「５」，「１」，３行目の各マス目に「９」，「４」，「７」の各入力値が赤色の数字でそれぞれ配置された入力値画像１４６を表示する画像データを作成して前記ＲＡＭ５３に記憶し，その後，前記ＣＰＵ５１は，当該画像データを画像信号に変換して前記ビデオＲＡＭ３４に記憶し，
　これにより，前記出射装置１１を介して前記ユーザ２の視野範囲に重なるように設定されている表示領域１４５中の左側上方の，入力キー群７に重ならない視野範囲中に，例えば，前記配列データが，直接ユーザ２の網膜上に投射して表示される」ことと，
　本願発明における「ｂ）前記第２端末（３３）のスクリーン上の第２格子（３７）に前記サブセット（１，７，５，９）を含む前記順不同の一連の記号（１，２，・・・９，＊，＃）を配置して表示する手段」とは，
“　ｂ）第２端末（３３）のスクリーン上の第２格子（３７）に前記サブセット（１，７，５，９）を含む前記順不同の一連の記号列を配置して表示する手段”である点で共通する。
　
４．以上，上記１．〜３．において検討した事項から，本願発明と引用発明との，一致点，及び，相違点は，次のとおりである。
　
［一致点］
　第２端末（３３）と称されるユーザ端末であって，
　ａ）第１端末（３２）から，そのサブセット（１，７，５，９）がユーザ（３０）の秘密個人コードと比較されるコードを構成するような，順不同の一連の記号列を受信する手段と；
　　ｂ）第２端末（３３）のスクリーン上の第２格子（３７）に前記サブセット（１，７，５，９）を含む前記順不同の一連の記号列を配置して表示する手段と；
を備えたユーザ端末。
　
［相違点］
“順不同の一連の記号列”に関して，
　本願発明においては，「一連の記号（１，２，・・・９，＊，＃）」であるのに対して，
　引用発明においては，「１〜９」までの数字である点。
　
第７．相違点についての当審の判断
　ユーザのパスワードを構成する記号として，本願発明と同様な「１，２，・・・９，＊，＃」を用いることは，本願の第１国出願前に当業者には周知の技術事項であり（必要であれば，上記Ｈに引用した周知文献等を参照されたい），引用発明においても，「１〜９」の数字に換えて，「１，２，・・・９，＊，＃」を採用することは，当業者が適宜なし得る事項である。
　よって，［相違点］は，格別のものではない。
　そして，本願発明の構成によってもたらされる効果も，当業者であれば容易に予測できる程度のものであって，格別なものとは認められない。
　
第８．むすび
　したがって，本願発明は，引用発明及び周知技術に基づいて当業者が容易に発明をすることができたものであるので，特許法２９条２項の規定により特許を受けることができない。
　よって，結論のとおり審決する。